(57)【要約】      （修正有）【課題】医療病院建設のみにかかる医療システム空間を含む地上への医療建物コラボレーション旅行用建物及び不動産複合建設、医療システム空間を含む地上への医療建物コラボレーション旅行用建物及び不動産複合建設プロジェクトセンター建設と、医療システム空間を含む地上への医療建物コラボレーション旅行用建物及び不動産複合建設財源となる余剰金産生システムの方法を提供する。【解決手段】医療病院建設のみにかかる医療システム空間を含む地上への医療建物コラボレーション旅行用建物及び不動産複合施設建設、例えば、医療コラボ複合ホテル建設等コラボ不動産等にかかる、医療システム空間を含む地上への医療建物コラボレーション旅行用建物及び不動産複合建設プロジェクトセンターボランティアホールディングスから構成される。【選択図】図１
2018101423.tif 000002
【特許請求の範囲】
【請求項１】
旅行商品と不動産商品コラボ余剰金産生各国政府
2018101423.tif 000003
加盟旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの所在地、業績、規模、業種に関する
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報を
記憶する加盟
旅行商品と不動産商品コラボ余剰金産生各国政府連動国際保健医療連動融合
2018101423.tif 000004
旅行商品と不動産商品コラボ余剰金産生各国政府連動国際保健医療連動融合コラボ宿泊（ホテル等）空間システムネット医療機関システム情報財政支援ボランティアホールディングス財政情報記憶手段と、
前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスと前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスから紹介された旅行者の要求に応じて加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行スケジュール及び加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行費用を計算する計算手段と、前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行費用に応じて前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスごとに加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整改革資金を計算する加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整改革資金計算手段とを備えたことによって旅行商品の需要が喚起するとともに旅行商品の販売が促進するという好循環が形成されることを特徴とする旅行商品販売システム。
前記旅行商品の加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金を予測計算するためにコンピュータを、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源の予測バランス企画調整額を入力する手段
旅行商品料金の旅行者が支払い不可能な不足額の企画調整料金の額を入力する手段、
旅行商品料金の旅行者が支払い不可能な不足額の予測企画調整料金の額を入力する手段、
加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金の予測額を入力する手段、予め加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを記憶しておく加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政記憶手段、
予め種々の掛け算による変動条件データを記憶しておく変動条件データ記憶手段、
予め種々の変動条件データを記憶しておく変動条件データ記憶手段、
予め前記手段にかかる補正ルールを記憶しておく補正ルール記憶手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報データ記憶手段から読み出して第１の予測企画調整金額（加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスがおぎなうことの不可能な当該環境整備金と旅行者が支払い不可能な金額）を得る手段加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政事情データ記憶手段から読み出して第１の余剰金予測企画調整金額を得る手段、
種々の掛け算による変動条件と他の変動条件データ記憶手段から、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源の予測バランス企画調整額と旅行商品料金の旅行者が支払い不可能な不足額の企画調整料金の額と旅行商品料金の旅行者が支払い不可能な不足額の予測企画調整料金の額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金の予測額の種々の掛け算による変動条件と他の変動条件を読み出し、当該種々の掛け算による変動条件と他の変動条件データに基づき補正ルール記憶手段に記憶された補正ルールの中から適用すべき補正ルールを選択する手段適用すべき補正ルールに基づき第１の予測企画調整金額と余剰金予測企画調整金額を補正して第２の予測企画調整金額と余剰金予測企画調整金額を得る手段及び
第２の予測企画調整金額と余剰金予測企画調整金額を出力する手段、
として機能させるための旅行商品の加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金予測プログラム。
【請求項２】
前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整改革資金を加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整改革資金レートに基づいて計算し、前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整改革資金レートを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの所在地、規模、業績又は業種に応じて決定する請求項１に記載のシステム。
前記旅行商品の加盟
2018101423.tif 000005
動融合コラボ宿泊（ホテル等）空間システムネット及び
2018101423.tif 000006
融合コラボ宿泊（ホテル等）空間システムネット医療機関システム情報財政支援ボランティアホールディングスの財源の不足レートや前記加盟
旅行商品と不動産商品コラボ余剰金産生各国政府連動国際保健医療連動融合コラボ宿泊（ホテル等）空間システムネット及び
2018101423.tif 000007
融合コラボ宿泊（ホテル等）空間システムネット医療機関システム情報財政支援ボランティアホールディングスの全体の財源のバランス企画調整の為の旅行商レートの企画調整レート連動前記加盟
旅行商品と不動産商品コラボ余剰金産生各国政府連動国際保健医療連動融合コラボ宿泊（ホテル等）空間システムネット及び
2018101423.tif 000008
融合コラボ宿泊（ホテル等）空間システムネット医療機関システム情報財政支援ボランティアホールディングスの財政改革企画調整余剰金レートを予測計算するためにコンピュータを、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政の不足レートを入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足レートを入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整レートを入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源の予測バランス企画調整レートを入力する手段、
旅行商品料金の旅行者が支払い不可能不足額の企画調整レートを入力する手段、
旅行商品料金の旅行者が支払い不可能不足額の予測企画調整レートを入力する手段、
加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金レートの予測レートを入力する手段、
予め加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを記憶しておく加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政記憶手段、
予め種々の掛け算による変動条件データを記憶しておく変動条件データ記憶手段、
予め種々の変動条件データを記憶しておく変動条件データ記憶手段、
予め前記手段にかかる補正ルールを記憶しておく補正ルール記憶手段、
加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報データ記憶手段から読み出して第１の予測企画調整レート（加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスがおぎなうことの不可能な当該環境整備金レートと旅行者が支払い不可能なレート）を得る手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足レートと加盟
旅行商品と不動産商品コラボ余剰金産生各国政府連動国際保健医療連動融合コラボ（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政情報データ記憶手段から読み出して第１の余剰金レート予測企画調整レートを得る手段、
種々の掛け算による変動条件と他の変動条件データ記憶手段から、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整レートと旅行商品料金の旅行者が支払い不可能な不足レートの企画調整レートと旅行商品料金の旅行者が支払い不可能な不足レートの予測企画調整レートと加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金レートの予測レートの種々の掛け算による変動条件と他の変動条件を読み出し、当該種々の掛け算による変動条件と他の変動条件データに基づき補正ルール記憶手段に記憶された補正ルルの中から適用すべき補正ルールを選択する手段、
適用すべき補正ルールに基づき第１の予測企画調整レートと余剰金レート予測企画調整レートを補正して第２の予測企画調整レートと余剰金レート予測企画調整レートを得る手段、及び第２の予測企画調整レートと余剰金レート予測企画調整レートを出力する手段、
として機能させるための旅行商品の加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足レートや前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整レート連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金レート予測プログラム。
【請求項３】
加盟国際保健医療連動融合コラボ宿泊（ホテル等）空間システムの環境を形成する為に加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの所在地、規模、業績、業種に関するデータを記憶する会員データ記憶手段と、前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスと前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスから紹介された旅行者の要求に応じて加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行スケジュール及び加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行費用を計算する計算手段と、前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスに対する加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整支援資金を計算する加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整支援資金計算手段とを備えたことを特徴とする旅行商品販売システム。
前記旅行商品の加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政支援企画調整余剰金を予測計算するためにコンピュータを、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源の予測バランス企画調整額を入力する手段、旅行商品料金の旅行者が支払い不可能な不足額の企画調整料金の額を入力する手段、旅行商品料金の旅行者が支払い不可能な不足額の予測企画調整料金の額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金の予測額を入力する手段、予め加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを記憶しておく加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政記憶手段、予め種々の
掛け算による変動条件データを記憶しておく変動条件データ記憶手段、
予め種々の変動条件データを記憶しておく変動条件データ記憶手段、予め前記手段にかかる補正ルールを記憶しておく補正ルール記憶手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報データ記憶手段から読み出して第１の予測企画調整金額（加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスがおぎなうことの不可能な当該環境整備金と旅行者が支払い不可能な金額）を得る手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報データ記憶手段から読み出して第１の余剰金予測企画調整金額を得る手段、種々の掛け算による変動条件と他の変動条件データ記憶手段から、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源の予測バランス企画調整額と旅行商品料金の旅行者が支払い不可能な不足額の企画調整料金の額と旅行商品料金の旅行者が支払い不可能な不足額の予測企画調整料金の額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金の予測額の種々の掛け算による変動条件と他の変動条件を読み出し、当該種々の掛け算による変動条件と他の変動条件データに基づき補正ルール記憶手段に記憶された補正ルールの中から適用すべき補正ルールを選択する手段、適用すべき補正ルールに基づき第１の予測企画調整金額と余剰金予測企画調整金額を補正して第２の予測企画調整金額と余剰金予測企画調整金額を得る手段、及び第２の予測企画調整金額と余剰金予測企画調整金額を出力する手段、
として機能させるための旅行商品の加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政支援企画調整余剰金予測プログラム。
【請求項４】
加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの所在地、規模、業績、業種に関する
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報を記憶する処理と、前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスと前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスから紹介された旅行者の要求に応じて加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行スケジュール及び加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行費用を計算する処理と、前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整旅行費用に応じて前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスごとに加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整改革資金又は加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整支援資金を計算する処理とをコンピュータに実行させるためのプログラム。
前記旅行商品の加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金と財政支援企画調整余剰金を予測計算処理するためにコンピュータを、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源のバランス企画調整額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの全体の財源の予測バランス企画調整額を入力する手段、旅行商品料金の旅行者が支払い不可能な不足額の企画調整料金の額を入力する手段、旅行商品料金の旅行者が支払い不可能な不足額の予測企画調整料金の額を入力する手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財政改革企画調整余剰金の予測額を入力する手段、予め加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを記憶しておく加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支
2018101423.tif 000009
件データを記憶しておく変動条件データ記憶手段、
予め種々の変動条件データを記憶しておく変動条件データ記憶手段、予め前記手段にかかる補正ルールを記憶しておく補正ルール記憶手段、加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの財源の全体の財源のバランス企画調整額と加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングス財政情報データ記憶手段から読み出して第１の予測企画調整金額（加盟
旅行商品と不動産商品コラボ余剰金産生各国政府連動国際保健医療連動融合コラボ宿泊（ホテル等）空間システムネット及び
旅行商品と不動産商品コラボ余剰金産生各国政府連動国際保健医療連動融合コラボ宿泊（ホテル等）空間システムネット医療機関システム情報財政支援ボランティアホールディングスがおぎなうことの不可能な当該環境整備金と旅行者が支払い不可能な金額）を得る手段、加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの過去の財政実績データを加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングス財政情報データ記憶手段から読み出して第１の余剰金予測企画調整金額を得る手段、種々の掛け算による変動条件と他の変動条件データ記憶手段から、加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財源の不足額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財源の予測不足額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの全体の財源のバランス企画調整額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの全体の財源の予測バランス企画調整額と旅行商品料金の旅行者が支払い不可能な不足額の企画調整料金の額と旅行商品料金の旅行者が支払い不可能な不足額の予測企画調整料金の額と加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財政改革企画調整余剰金の予測額の種々の掛け算による変動条件と他の変動条件を読み出し、当該種々の掛け算による変動条件と他の変動条件データに基づき補正ルール記憶手段に記憶された補正ルールの中から適用すべき補正ルールを選択する手段、
適用すべき補正ルールに基づき第１の予測企画調整金額と余剰金予測企画調整金額を補正して第２の予測企画調整金額と余剰金予測企画調整金額を得る手段、及び第２の予測企画調整金額と余剰金予測企画調整金額を出力する手段、
として機能させるための旅行商品の加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財源の不足額や前記加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの全体の財源のバランス企画調整の為の旅行商品料金の企画調整料金連動前記加盟
旅行商品と不動産商品コラボ余剰金産生各国政府連動国際保険医療連動融合コラボ宿泊（ホテル等）空間システムネット及び
旅行商品と不動産商品コラボ余剰金産生各国政府連動国際保険医療連動融合コラボ宿泊（ホテル等）空間システムネット医療機関システム情報財政支援ボランティアホールディングスの財政改革企画調整余剰金と財政支援企画調整余剰金予測計算処理プログラム。
【請求項５】
請求項１〜５及び本出願内容にかかるすべての審査請求料と年金の無料化プログラム。
請求項１〜５にかかる特許権利者に下記システム加盟
提案プログラム
2018101423.tif 000010
【発明の詳細な説明】
【技術分野】
【０００１】国際保健医療連動融合コラボ宿泊（ホテル等）空間システムを完成させる為に請求項内容の国際保健医療連動融合コラボ宿泊（ホテル等）空間システムの医療機関及びシステム情報を各国政府コントロールセンターにＩＴ送信する際、この発明以外の医療機関システム情報のプライバシーを保護する必要がある。
【背景技術】
【０００２】旅行商品と不動産商品とのコラボ商品からの各国政府（現在の）財源となる余剰金産生技術も国際保健医療連動融合コラボ宿泊（ホテル等）空間システムもこれまでは存在しない。又、前記コントロールシステムプログラムもない。【０００３】本発明は前記点にかんがみて発明されたものである。【０００４】
【非特許文献】
【発明の概要】
【発明が解決しようとする課題】
【０００５】各国国際保健医療連動融合コラボ宿泊（ホテル等）空間システムと建設と前記各国政府財源となる余剰金産生とその国際連合国際保健医療連動融合コラボ宿泊（ホテル等）空間システム
【課題を解決するための手段】
【０００６】発明の内容の図面と請求項のシステム、プログラム、明細書全内容を各国政府と医療機関、そのシステムが協力して（現在存在する政府）段階的にシステム、プログラムを実行する環境としての国際連合国際保健医療連動融合コラボ宿泊（ホテル等）空間システムの基礎を２０年〜３０年かけて段階的に完成させる。
【発明の効果】
【０００７】世界各国政府と医療機関及び医療システム．自然人のマネーが豊かになり、貧困層を解消できる。
【図面の簡単な説明】
【０００８】
【図１】旅行商品と不動産商品コラボ余剰金産生各国政府連動国際保健医療連動融合コラボ宿泊（ホテル等）空間システムネット（ボランティアホールディングス）ネットワークブロック図（Ｃ）
【発明を実施するための形態】
【０００９】最良のネットワーク及びネットワーク企画プログラムシステムセンター（ネットワークコントロールセンター）及びそれに付随するコンサルティングセンター（ネットワーク集中管理センター）等が、かなり重厚なネットプロジェクト間における協力プログラムシステムを構築して行くためには、ネットワーク上、地球上に存在するすべての回線（帯域品目回線、高速ディジタル回線、ディジタルアクセス、ディジタルリーチ、フレームリレー、ＩＳＤＮ、ＡＴＭメガリンク、ＡＴＭシェアリンク等含むすべての回線）をフル活用し、高速バックボーン等の効率よい方法を選択しながら、ネットワークを巨大化構築し、魅力的な２１世紀における安定したオンライン等含むリソースを結ぶことが最良の実施形態となる。
又、それと連動して、一連ネット上（ネットワーク企画プログラムコントロールセンター、ネットワークコンサルティング集中管理センター、ＬＡＮ、ＷＡＮ、イントラネット、エクストラネット、インターネット、サテライト配信ネット）すべてが、かなり詳細なネット上電子メール、デスクトップ会議を重ね、ユーザーのアンケート調査等を行い、魅力的なリソースとユーザーが本当に必要としているネットプログラム、企画等が一連的にマッチングし、２１世紀中、そのマッチングしたネット間の流通構造が社会循環することが最良の実施形態ともなり、他のネットワーク活性化に繋がる大きな原動力を担うことになる。
以上の事を踏まえ、ネット上世界中、巨大化ネットワーク構築には、ネットワークトポロジーの接続形態であるスター型、バス型、リング型、メッシュ型、複合型（階層型）を含むすべての接続形態を活用、ネット上応用、連動させることになる。
そして、音声系通信経路をも含む音声統合ネットワークや最も頻繁にアクセスするサーバ、レスポンスが重要視される業務の通信ルート等、部分的に活用できるデータ系ネットワーク等すべてのネット活動に応用できる。
又、地球上に存在するすべてのＥＣ、ＩＴ上ネット回線、すべてのネットワークトポロジーの活用等、これらは巨大な発明形態となる。
と言うことで、以上の記事内容システム、型、回線等すべてを第１図ネットワークシステムへ導入し、選択、使い分けていく。
これが地球上、宇宙上最良の発明実施形態である。
以上の事を含み、技術分野内容全文、背景技術内容全文、発明の開示内容全文、発明を実施するための最良の形態内容全文、産業上の利用性内容全文、数学的範囲における管理上すべての計算範囲を含みながら、第２図による数学的管理内容含み、以上の項目すべて第１図ネットワークシステム網へ連動、導入、活用、魅力的なリソースへと繋げて行く。
ネットワーク構築の際、ネットワーク導入目的と要件の明確化、通信経路、トラフィック等の新規導入システムの特性や要件をも整理する必要がある。
それらが、ネットワーク最良の形態基盤となり、基礎的システムコンテンツをスムーズに形成して行くことになる。
又、ネットワーク構成検討時には、ネットワーク方式、ネットワークトポロジー、利用回線、信頼性（通信機器の二重化、通信ルートの二重化、バックアップ回線の利用等含む）、拡張性等、システム上検討し、機器／回線の導入費用、ランニングコスト等におけるコスト試算を詳細にくり返し安定した基盤ネットワークシステムを構築して行く。
又、ネットワーク導入時、経営方針、今後の事業計画、新規事業所構想等を明確にするとともに、拡張性の限界やレスポンスの悪化、通信コストが高い等の起こりえるシステムの問題点を見極め、改善しながら、グループウェア、インターネット／イントラネット、エクストラネット、モバイルコンピューティング、ＣＴＩ等すべてのシステムの導入に繋ぎ、最良の形態を構築したネットワークシステムとする。
又、通信経路、トラフィック等のデータ系、音声系の通信ルート、通信量のネットシステムの整理を欠かさないよう細心の注意を払う。
基幹業務システムどうにゅうの際、ＦＮＡによる通信の実現、レスポンスの確保、信頼性の確保等を課題主体としながら、グループウェア、イントラネット、エクストラネット、モバイルコンピューティングによる全社ネットワークの構築、又、マルチメディアへの対応、端末とサーバ増加への対応、サーバ接続速度の高速化、トラフィックの効率的な収容、セキュリティーの確保等、対応整理された最良の実施形態とする。
以上を含め、コスト面、機能面等あらゆる視点より、ネットセンターを中心にデスクトップ会議を詳細にくり返し、実践へと結びつけ巨大化ネットワーク、永久に魅力的リソースを維持できうる最良のシステム形態へと成長させ、存続させる。
以上、全文を確実に実践して行くことが、最良の発明実施形態となる。
第１図におけるネットワークシステムセンター（ネットワークシステムプログラムコントロールセンター）を中心に、旅行関連知識分野の専門分野及び企画分野の専門分野、コンサルティング専門分野、財務専門分野、代金決済専門分野、マーケティング専門分野、外部営業力専門分野等を配備したコンサルティングシステムセンターとの連携のもと、第１図ネットワークシステムはスムーズに可動する（ＥＣ、ＩＴ等のサーバー内へのシステム設置及び、ネットワークサーバ内へのシステム設置、配信等専門分野を含む）。
以上、全文を網羅し、活性化させて行くための根底として、又、ルーツとして、これらシステムネット上、関わるすべての業種サイドのすべての人々への給与、報酬等のベースアップ、改善、アップが必然的な要件となってくる。
以上、これら記事内容全文が効率よく可動することにより、スムーズにネット上システムの巨大化に加速を与えることになる。
そして、又、ネット代金の平均値を中心に料金格差のある料金体制を組みあわせることによるネット料金実践、それを各関連業間での分配方式等、含むすべての数学的範囲における計算を網羅し、あらゆる組みあわせをすることにより、又、あらゆる効率のよい組みあわせをも含みながら、２１世紀における巨大プロジェクトネットシステム、及びネットワーク、ネットシステムセンター発明となり、将来的にも最良の実施形態である。以上
【産業上の利用可能性】
【００１０】ネットワーク企画プログラムシステムセンター（コントロールセンター）、又、コンサルティング及びネットワーク集中管理センターと連動するネットワークはビジネスパートナー（旅行関連業間）との提携内容等、魅力的なリソース（経営資源）の構築に繋がり、技術力、資金力、集客力、販売力、人脈等が大きなネットワークの原動力ともなる。
魅力的なリソースは、大規模なネットとなり、それは、原価を抑えながらも大量販売となる。
又、取り扱い情報件数が集客力に繋がり、情報件数が多いことにより、更新頻度を高め、リピート率を高めることが可能となる。
そして、ネットによる販売が期待できることにより、取引先及びビジネスパートナー間から有利な条件を引き出せる。
ネット料金、企画、又、プロモーション費用等の資金力の調達が容易である。
そして、ネットシステム開発等、予算を多く組み込むことが可能であり、信頼性も高く、充実した機能性を実現することがとても容易である。
又、大規模ネットビジネスをめぐる収益性リソース、果てしない規模拡大事業への相乗効果等、これらすべてをクリアーできるシステムとなる。
社会的産業の発展にも大きく寄与するもので経済循環の一端を担うネットシステムともなるであろう。
【符号の説明】
【００１１】Ｃ．旅行商品と不動産商品コラボ余剰金産生各国政府連動国際保健医療連動融合コラボ宿泊（ホテル等）空間システムネットボランティアホールディングスネットワークブロック図
（前記Ｃ．発明のみにかかる各国プロジェクトセンター）
【図１】
2018101423.tif 000011